(57)【特許請求の範囲】
【請求項１】
平面視略方形の開口面内に収納凹部を有し、収納凹部の上部に外方へ折れた肩部を設けるとともに肩部の端部に外側壁が連設されてなる容器本体と、前記肩部に装着して容器本体の開口面を閉鎖する蓋体とを有する合成樹脂製の食品包装用容器において、
前記容器本体の四隅角部に肩部から下方傾斜して外側壁に連なる傾斜面部を設け、
蓋体を、その周辺に外方へ略水平に張り出したフランジ部を設け、当該蓋体の四隅角部の少なくとも一つの角部を摘み片となすとともに、少なくともフランジ部と摘み片にメッシュ加工を施して形成し、
前記収納凹部に食品が収納された容器本体に蓋体を装着し、フィルムで前記容器本体及び蓋体を包み込んだときに、前記フィルムとともに蓋体の摘み片が容器本体の傾斜面部上に折れ重なるようにした構成を有することを特徴とする食品包装容器。
【請求項２】
容器本体はその肩部と外側壁の境界に沿って当該容器本体の表面に付された色又は模様を異ならせて形成されていることを特徴とする請求項１に記載の食品包装容器。
【請求項３】
容器本体の外側壁の表面に竹の節や木目状の模様を付してなる請求項１又は２に記載の食品包装容器。
【請求項４】
容器本体の肩部に設けられた凹部に蓋体の下側周辺部が外嵌合する構成を有することを特徴とする請求項１〜３の何れかに記載の食品包装容器。
【発明の詳細な説明】
【技術分野】
【０００１】
本発明は、コンビニエンスストアやスーパーマーケットの食品売り場で陳列し販売される、弁当や総菜その他各種食品の包装に用いられる合成樹脂製の食品包装容器に関する。
【背景技術】
【０００２】
コンビニエンスストアなどで販売されている弁当は、例えばステーキなどの洋風のおかずや中華料理といった食材や食品の種類や調理方法などに応じ、収納される料理や食品のボリューム感を引き出しておいしそうに見える外観や形態の容器を用いて包装されている。
このうち、幕の内弁当などの和風の食品を包装する容器として、図６に示されるように、容器本体１００が、ご飯やおかずが盛られるポリプロピレン製の内容器１０１と、表面に竹の節などの木目調の模様が付されたポリスチレン製の外枠１０２からなり、外枠１０２の内周面に形成された溝部１０２ａに内容器１０１の周辺縁部１０１ａを係合して外枠１０２内に内容器１０１を一体化させ、これに透明な蓋体１０３を被せて、容器に収納された食品が恰も木製の折箱や重箱の中に盛られた如き外観を呈する形態のものが知られている（例えば特許文献１、２参照）。
【先行技術文献】
【特許文献】
【０００３】
【特許文献１】実用新案登録第３０６０６１１号公報
【特許文献２】特開２００５−２６３２８４号公報
【発明の開示】
【発明が解決しようとする課題】
【０００４】
前記図示した容器は、内容器１０１と外枠１０２を個別に成形し、これらを一体化して形成されるため、容器の製造コストが高くならざるを得ず、内容器１０１と外枠１０２を一体化させた容器本体１００は保管や運搬の際に嵩を小さくして積重ねることができない。また、弁当を食べた後に廃棄する資材が内容器１０１、外枠１０２及び蓋体１０３と嵩み、ゴミの減量化の観点からも好ましいものではない。容器をリサイクル処理する場合は、内容器１０１と外枠１０２を分離するという煩わしい手間を要する。
また、前記容器を用いた弁当は、食品を収納した容器本体１００に蓋体１０３を被せて密閉し、その外側にラップフィルムやシュリンクフィルムを被せて食品売り場に陳列されるが、図７に示されるように、蓋体１０３を容器本体１００に被せると蓋体１０３の周縁コーナー部に設けた摘み片１０３ａが外枠１０２の上面よりも外側に突出し、容器にフィルムを巻く際にフィルムが摘み片１０３ａに引っ掛かって破れたり、或いは容器にシュリンクフィルムを被せて収縮させた後、容器を取り扱う際に摘み片１０３ａがフィルムを貫通してフィルムに切れ目ができたりし易いという問題があった。
【０００５】
本発明は、従来技術の有するこのような問題点に鑑み、容器本体に蓋体を装着し、これにシュリンクフィルムやラップフィルムを被せて包み込んだときにフィルムが破れたり切れ目ができたりしないようにし、また、容器に盛られる食品がおいしく見えるように容器の外観を見栄えの良いものとすることを課題とする。
【課題を解決するための手段】
【０００６】
前記課題を解決するため本発明は、平面視略方形の開口面内に収納凹部を有し、収納凹部の上部に外方へ折れた肩部を設けるとともに肩部の端部に外側壁が連設されてなる容器本体と、前記肩部に装着して容器本体の開口面を閉鎖する蓋体とを有する合成樹脂製の食品包装用容器において、
前記容器本体の四隅角部に肩部から下方傾斜して外側壁に連なる傾斜面部を設け、
蓋体の周辺に外方へ略水平に張り出したフランジ部を設けるとともに当該蓋体の四隅角部の少なくとも一つの角部を摘み片となし、
前記収納凹部に食品が収納された容器本体に蓋体を装着し、フィルムによって前記容器本体及び蓋体を包み込んだときに、前記フィルムとともに蓋体の摘み片が容器本体の傾斜面部上に折れ重なるようにした構成を有することを特徴とする。
【０００７】
この食品包装容器によれば、容器本体の収納凹部に食品を収納し、これに蓋体を被せて容器内部を密閉し、さらに外側にラップフィルムやシュリンクフィルムを被せて包み込み、包装した食品を展示販売に供することができる。
蓋体を容器本体に装着したときに蓋体の摘み片が水平に突出するものの、当該摘み片が位置する容器本体の四隅角部には下り傾斜した傾斜面部を設けてあるので、フィルムで包み込む際に摘み片が屈曲してフィルムとともに傾斜面部上に折れ重なるため、フィルムが摘み片に引っ掛かって破れたり切れ目ができたりするなどのフィルムで包み込む操作に支障を来すことはなく、また、フィルムを取り外さない限り摘み片は折れたままなので、容器取り扱い中に摘み片がフィルムを貫通してしまうようなこともない。
また、容器からフィルムを取り外せば、折れ曲がっていた蓋体の摘み片は元の位置まで弾性復帰し、水平に突出した摘み片を摘んで蓋体を容器本体から簡単に取り外すことができる。
さらに、容器本体に前記傾斜面部を設けた場合、容器本体に蓋体を装着すると傾斜面部上で摘み片が水平に張り出し、傾斜面部と摘み片の間に指を差し入れる空隙ができるので摘み片を長く設ける必要もない。摘み片は、容器本体に蓋体を装着したときに容器外方に摘み片が突出する長さに設けてもよく、蓋体のフランジ部の各四隅角部に設けてもよい。
また、容器本体は一の材料による一体成形品なので、容器の保管や運搬の際に嵩を小さくして積み重ねることが可能である。
【０００８】
前記構成の食品包装容器において、蓋体は少なくともフランジ部と摘み片にメッシュ加工を施して形成してあることが好ましい。
蓋体に施すメッシュ加工は、例えば蓋体を構成するシートの表面に微細な凹部を多点列状或いは格子状などのメッシュ状に設ける加工であり、メッシュ加工を施すことでシートに可撓性が付与される。
摘み片にメッシュ加工を施してあれば、摘み片をスムーズに折り曲げることができ、摘み片を容器本体の傾斜面部上に折り重ねても摘み片の根元部分が割れたり切れたりするようなことはない。メッシュ加工を施すことで摘み片が摘みやすくもなる。また、フランジ部にメッシュ加工を施してあれば、容器本体に装着した蓋体を粘着テープで留め付ける際に重合する粘着テープに沿ってフランジ部を撓ませて容器本体の上面に確実に接合させることができ、また、粘着テープを取り外す際にフランジ部に外力がかかってもフランジ部が割れるようなことはなく、粘着テープをスムーズに除去することができる。
【０００９】
また、前記構成の食品包装容器において、容器の外観を見栄えの良いものとするため、容器本体はその肩部と外側壁の境界に沿って当該容器本体の表面に付された色又は模様を異ならせて形成することが好ましい。
合成樹脂製の容器の成形は、容器表面に付す文様が印刷された印刷フィルムと原反とを貼り合わせてシートにし、これを成型金型で加熱し変形させ、冷却固化した後、成形された容器をシートから打ち抜く加工工程により行われ、前記容器本体は、肩部と外側壁の境界に沿って色や模様が異なる印刷フィルムを用い、印刷フィルムの文様の位置と成形金型の容器型の位置とを位置決めして熱成形することにより成形することができる。
本発明を和風料理の弁当容器に適用する場合、外側壁の表面には竹の節や木目状の模様を付して容器本体を形成すれば、食品が恰も木製の折箱や重箱の中に盛られた如き外観のものとなる。
また、前記構成の食品包装容器は、容器本体の肩部に設けられた凹所に蓋体の下部周辺部が外嵌合するように構成することができる。
【００１０】
本発明の食品包装容器は、例えば延伸ポリスチレンや耐衝撃性ポリスチレン、ポリプロピレン、ポリエチレンテレフタレートなどの適宜なプラスチックを用い、圧空乃至真空成形などのサーモフォーミング法により成形することができる。蓋体は透明なポリプロピレンや二軸延伸ポリスチレン、ポリエチレンテレフタレートなどを用いて成形することが好ましい。その他任意の成形材料を用いて任意の成形方法により形成してもよい。
【図面の簡単な説明】
【００１１】
【図１】本発明の一実施形態の食品包装容器の容器本体と蓋体を分離した状態の外観斜視図である。
【図２】図１の容器本体の側面図である。
【図３】図１の容器本体と蓋体の側端部の要部切断端面図である。
【図４】容器本体に蓋体を被せた状態の容器の隅角部の切断端面図である。
【図５】容器本体に蓋体を被せた容器の外側にフィルムを巻き付けた状態の容器の隅角部の切断端面図である。
【図６】従来の食品包装容器の容器本体を破断して示した構成図である。
【図７】（Ａ）は図６の容器の隅角部の拡大図、（Ｂ）はＢ−Ｂ線に沿った切断端面である。
【発明を実施するための形態】
【００１２】
本発明の好適な一実施形態を図面を参照して説明する。
図１は本発明の食品包装容器の外観を示しており、図示されるように、この食品包装容器１は、上部を平面視略矩形の開口面とし、この開口面内に食品が収納される収納凹部２１を設けた容器本体２と、容器本体２の上部に装着して開口面を閉鎖する透明な蓋体３により構成されている。
【００１３】
詳しくは、図１〜図３に示されるように、容器本体２は、底部２２の周辺から内側壁２３を適宜な高さに立ち上げて収納凹部２１を形成するとともに、底部２２から上方へ突設した仕切り２４により、収納凹部２１内を複数の収納領域に区画して形成してある。
収納凹部２１の上部には、内側壁２３の上端から略水平に外方へ折れ、且つ端部を下方へ屈曲させた堤部２５ａと堤部２５ａの下端から略水平に折れた蓋受け面部２５ｂからなる肩部２５が周設され、さらに肩部２５の端部から外側壁２６をスカート状に垂下させ、収納凹部２１の周囲を外側壁２６で囲った形状に設けてある。前記肩部２５の堤部２５ａの蓋受け面部２５ｂとの境界部分には、後述する蓋体３の周縁下端部に設けた凸部３３ａが嵌合する凹部２５ｃが形成してある。
容器本体２の四隅角部には、肩部２５から下方傾斜して外側壁２６に連なる傾斜面部２７を設けてあり、また、外側壁２６の表面の四側辺の中央と四隅角部の両側の位置には補強用の縦リブ２６ａを設け、さらに各縦リブ２６ａ間にも補強用の縦筋（図示せず）を列設してある。
また、容器本体２は、肩部２５と外側壁２６の境界に沿って表面の色及び模様が異ならせて形成し、肩部２５よりも内側の収納凹部２１の領域は例えば赤色で着色し、外側壁２６の表面には木目状の模様を付した装飾が施してある。
【００１４】
蓋体３は、平面視矩形の天面部３１の周辺から側面３２を斜め下方へ張り出し、側面部３２の周縁下端部に外方へ略水平に折れ且つ先端が下方へ屈曲した段部３３を設け、さらに段部３３の下端部に外方へ略水平に折れて張り出したフランジ部３４を連設して形成してある。
前記天面部３１の周辺には、その輪郭に沿って上方凸部３１ａを突設させてあり、食品包装容器１を積み重ねた際に、上段の容器の容器本体２の底部２２が上方凸部３１ａに係合して積み重ねた容器の位置ズレを防止できるように設けてある。
また、段部３３のフランジ部３４との境界部分には、内方へ突出した凸部３３ａが形成されており、容器本体２に蓋体３を装着した際に、前記容器本体２の肩部２５の蓋受け面部２５ｂに蓋体３のフランジ部３４が重なり、且つ肩部２５の凹部２５ｃに凸部３３ａが嵌合することにより、容器本体２に装着した蓋体３が固定されるように設けてある。なお、容器本体２に設ける凹部２５ｃと蓋体３に設ける凸部３３ａは、それぞれ肩部２５と段部３３の全周に連続して設けても、四側辺の中央や四隅角部など対応位置に断続的に設けてもよい。
また、フランジ部３４の四隅角部は各々周縁を湾曲形状に縁取ってなる摘み片３５としてあり、さらに各摘み片３５を含むフランジ部３４から段部３３に亘る部分には微細な凹部をメッシュ状に配置したメッシュ加工を施してある。
【００１５】
このように形成された食品包装容器１によれば、容器本体２の収納凹部２１に食品を収納し、図４に示されるように、これに蓋体３を被せて容器内部を密閉し、さらに外側から被せるラップフィルムなどのフィルムＦで食品包装容器１を包み込むことで、包装した食品を展示販売に供することができる。
容器本体２に蓋体３を装着した状態で蓋体３の摘み片３５が水平に突出するが、摘み片３５の下方には容器本体２に設けた傾斜面部２７が設けてあるので、図５に示されるように、フィルムＦで包み込む際に摘み片３５が屈曲してフィルムＦとともに傾斜面部２７上に折れ重なり、フィルムＦが摘み片３５に引っ掛かって破れたり切れ目ができたりすることはない。また、フィルムＦを取り外さない限り摘み片３５は折れたままなので、容器取り扱い中に摘み片３５がフィルムＦを貫通してしまうようなこともない。フィルムＦを取り外せば、折れ曲がっていた摘み片３５は元の位置に弾性変形して水平に張り出し、これを摘んで蓋体３を容器本体２から簡単に取り外すことが可能である。
また、容器本体２の外側壁２６の表面には木目状の模様を付してあるので、収納した食品が恰も木製の折箱や重箱の中に盛られた如き風情の外観となり、視覚上の訴求力を高めて食品をおいしそうに見せることができる。
【００１６】
なお、図示した食品包装容器の形態は一例であり、本発明はこれらの形態に限定されず、食品の種類や容量などに応じて、他の適宜な形態に設けることができる。収納凹部２１内は適宜な形態の仕切り２４により区画することが可能であり、また、仕切り２４のない容器にも本発明は適用可能である。また、収納する食品に応じて、容器本体２の表面を適宜な色や模様に装飾することができる。
【符号の説明】
【００１７】
１  食品包装容器、２  容器本体、２１  収納凹部、２２  底部、２３  内側壁、２４  仕切り、２５  肩部、２６  外側壁、２７  傾斜面部、３  蓋体、３１  天面部、３２  側面部、３３  段部、３４  フランジ部、３５  摘み片
【図１】
0005739133.tif 000002
【図２】
0005739133.tif 000003
【図３】
0005739133.tif 000004
【図４】
0005739133.tif 000005
【図５】
0005739133.tif 000006
【図６】
0005739133.tif 000007
【図７】
0005739133.tif 000008